(57)【特許請求の範囲】
【請求項１】
複数の鎖樋用部材を連結してなる鎖樋であって、
前記鎖樋は鎖樋外覆部と２つの鎖樋接続金具であるカップ型接続金具と連結棒からなり、
前記カップ型接続金具は、底部に貫通穴があるカップ状で、貫通穴の外周部の対向する２点から接続される接続部品を上下方向に保持し、
前記接続部品は、両端部にフランジ部を有する連結棒を接続する貫通穴を保持し、
前記連結棒は、両端部をフランジ成型した直線状の金具であり、前記カップ型接続金具の貫通穴と両端部のフランジ部で係止が可能であり、
前記鎖樋外覆部は、上部端面全体を内側へ向かって曲折させ、内周部に水平リング状の突起を保持するため、前記鎖樋接続金具を前記鎖樋外覆部の下部より挿入し、上部方向へスライドさせ、前記水平リング状の突起に保持させることにより、前記鎖樋外覆部を前記鎖樋接続金具に係止することが可能であることを特徴とする鎖樋。
【発明の詳細な説明】
【技術分野】
【０００１】
本発明は、着脱および交換が容易な鎖樋を可能にする鎖樋接続金具と、鎖樋外覆部との係止方法に関するものである。
【背景技術】
【０００２】
鎖樋は建物の横樋から地面に向かって水を導く縦樋の一種である。縦樋は通常、円筒もしくは多角形の筒状となっているが、それらに横樋から導かれる雨水が鎖を伝うようにし、排出されるのを目で見て楽しむことができる。そのため、装飾性があり日本の情緒を表現する建材として、古くから社寺仏閣や和風建築に利用されてきた。
【０００３】
鎖樋は針金等の円柱の線をリング状に成型し、それらを鎖のように連結したものや、カップ型の外覆部を有するものを接続用の専用金具を利用し、個々の鎖樋を連結した形状のものがある。
【先行技術文献】
【特許文献】
【０００４】
【特許文献１】実開平５−７８２５号公報
【発明の概要】
【発明が解決しようとする課題】
【０００５】
個々のリングを連結した鎖樋は、線上に開口部が無い閉じたリングで作成されている場合が大多数である。そのため、そのような鎖樋の長さの調整には切断、または予定の長さに製作するしか方法がない。また、接続用の金具を利用したカップ型鎖樋（以下、カップ型鎖樋と呼称）は、個々の鎖樋の連結で長さの調整が可能だが、接続方法が煩わしいものが多く、建築現場での取付けの際に長さを調整することが難しい場合がある。そのため、事前に組立工場で指定の長さに調整しなければならず、現場で状況にあわせて長さを調整することが難しいという問題があった。
【０００６】
また、従来のカップ型鎖樋は針金等をU字形またはV字形に成型し、さらに両端部を穴部や係止部へ挿入できるよう曲折された接続用金具を、鎖樋外覆部の対向する二点で連結するため、接続用金具の端部が外覆部の外側または内側の目視可能な箇所へ突出してしまうものがある。そのため、建物の装飾を目的にしたものにも係わらず、外観が悪く品質が劣ってしまうという問題があった。
【０００７】
そこで、本発明は、個々の鎖樋の接続が容易で外観が良く、そのため品質が向上する鎖樋接続金具と、鎖樋外覆部と前記鎖樋接続金具との係止方法を提供することを目的とする。
【課題を解決するための手段】
【０００８】
本考案は、鎖樋接続金具の構成部材として、両端部をプレス加工等でフランジ成型した直線の線状金具（以下、連結棒と呼称）と、カップ状に成型され、その底部に雨水を通す貫通穴があり、その穴の外周部の対向する２点からそれぞれ上方向と下方向にV字型に成型された部品を、溶接またはそれに順ずる方法で接続してある（以下、カップ型接続金具と呼称）、計２点の金具類がある。V字型に成型された部品はそれぞれ、V字斜面に連結棒のフランジ部を挿入できる大きさの貫通穴と、連結棒の両端部フランジ加工の直径より小さい貫通穴をV字の頂点に保有し、その貫通穴は連結棒のフランジに係止し、抜け落ちない程度に加工されている。V字成型された部品の２つの貫通穴は、長方形の貫通穴で接続されており、その貫通穴は連結棒の中央軸部直径より大きいため、連結棒を一方の貫通穴から挿入し、長方形の貫通穴を通し、もう一方のV字頂点にある貫通穴でカップ型接続金具と接続棒を係止する機能を有する。
【０００９】
一方で、円筒状に成型した鎖樋外覆部の上部端面全体を内側へ向かって曲折させ、内周部に水平リング状の突起を作成する。そこへカップ型接続金具を円筒状の鎖樋外覆部の下部から上部へ向かって挿入し、水平リング状の突起を係止部として、鎖樋外覆部をカップ型接続金具に係止させる機能を有する。
【発明の効果】
【００１０】
本発明により、鎖樋同士の接続が容易となり、それにより建設現場にて容易に組立てや長さの調整が可能な鎖樋が作成できる。
【００１１】
さらに、前記鎖樋外覆部を別パーツとすることにより、外覆部が破損や劣化した際の交換が可能となり、前記の接続棒とカップ型接続金具を利用して係止できる別種類の鎖樋外覆部を作成した際、それの交換によって容易に各々の利用者の嗜好にあわせた鎖樋を提供することができる。
【００１２】
鎖樋同士の接続の際に、Ｕ字形やＶ字形の両端部を曲折させた接続金具ではなくシンプルな接続棒を利用することによって、接続用金具の端部が外覆部の外側または内側の目視可能な箇所へ突出せず、そのため外観が優れた鎖樋を提供することができる。
【発明を実施するための形態】
【００１３】
本発明の鎖樋接続金具と鎖樋外覆部について、図１〜３に基づいて説明する。
【実施例１】
【００１４】
図１はカップ型接続金具２に接続棒１を上下方向に接続し、それと鎖樋外覆部４を係止させたものである。カップ型接続金具２の上端部の外径は、鎖樋外覆部４の内径より０．５ｍｍから１．０ｍｍ程度小さく、鎖樋外覆部の水平リング状の突起４ａより大きいため、鎖樋外覆部４の下部から上方向に挿入でき、スライドしながら水平リング状の突起４ａに係止される。
【００１５】
図２は両端部をプレス加工等でフランジ成型した線状金具の接続棒１である。
【００１６】
図３はカップ状に成型され、その底部に雨水を通す貫通穴があり、その穴の外周部の対向する２点からそれぞれ上方向と下方向にＶ字型部品３を、溶接等で接続してあるカップ型接続金具２である。Ｖ字型部品３は、接続棒１の両端部を通すことが可能な第三貫通穴３ｃと、接続棒１の中央軸部を通すことが可能な長方形の第二貫通穴３ｂと、接続棒１の中央軸部の直径より大きく、かつフランジ部１ａより直径が小さい第一貫通穴３ａを有する。接続棒１を第三貫通穴３ｃに挿入し、第二貫通穴３ｂで接続棒１の中央軸部をスライドさせ、第一貫通穴３ａにて接続棒１を上部に引き上げ、フランジ部１ａと第一貫通穴３ａを係止させる。
【００１７】
本発明の実施形態では、接続棒１とカップ型接続金具２の接続部は第一貫通穴３ａが設置されているが、接続部の嵌合具合を良好にするため、フランジ部１ａと勘合が可能なように第一貫通穴３ａ周辺を塑性加工し凹部を成型する方法も有効な手段である。
【図面の簡単な説明】
【００１８】
【図１】本発明の実施形態における、接続棒１をカップ型接続金具２の上下方向に２箇所接続し、鎖樋外覆部４をカップ型接続金具２へ係止した、鎖樋の組付け透視側面図である。
【図２】本発明の実施形態における、接続棒１の正面図である。
【図３】本発明の実施形態における、（ａ）はカップ型接続金具２の平面図、（ｂ）はカップ型接続金具２の透視正面図である。
【符号の説明】
【００１９】
１    接続棒
１ａ  フランジ部
２    カップ型接続金具
３    Ｖ字型部品
３ａ  第一貫通穴
３ｂ  第二貫通穴
３ｃ  第三貫通穴
４    鎖樋外覆部
４ａ  水平リング状の突起
【図１】
0005721133.tif 000002
【図２】
0005721133.tif 000003
【図３】
0005721133.tif 000004